(57)【要約】      （修正有）【課題】オゾン発生器の噴出口近辺でオゾン濃度を基準値以下に低減し、オゾン特有の不快臭を防ぎ、又、オゾンと超音波加湿器で生成する蒸気を効率よく混合して加湿と殺菌の相乗効果を生み出す、オゾン発生器の提供。【解決手段】オゾン発生器の出口にエジェクター（２０）を連結して、外気を吸引することで、オゾン発生器出口のオゾン濃度を瞬間的に薄め、高濃度オゾン領域を解消した。又、エジェクターに蒸気混合器を連結し、超音波加湿器の蒸気を吸引し、オゾンと蒸気を放出できるようにした。又、超音波加湿器の水にエッセンシャルオイルのエマルジョンを使用して室内に芳香が漂う清浄な室内空間を具現化した。【選択図】図１
2020066536.tif 000002
【特許請求の範囲】
【請求項１】
電極を設けた絶縁体と、導電体を所定間隔の放電ギャップを介して互いに対向配設し、前記電極と前記導電体に交流電圧を印加し、前記放電ギャップ内に流通させた原料ガス中にオゾンを発生させる無声放電式のオゾン発生器において、該オゾン発生器の出口に、エジェクターが連結されていることを特徴とするオゾン発生器。
【請求項２】
前記エジェクターの出側に、蒸気混合器が付加されており、該蒸気混合器は、下流に向かって末広がりの混合流路を有しており、該混合流路の途中に、蒸気吸引流路が設けられており、超音波加湿器の蒸気噴出口と前記蒸気吸引流路を近接して配置し、前記蒸気吸引流路で前記超音波加湿器の蒸気と空気を同時に吸引し、前記混合流路内でオゾンと蒸気と空気が混合されて放出されることを特徴とする請求項１記載のオゾン発生器。  
【請求項３】
前記蒸気吸引流路と前記超音波加湿器がパイプで連結してあることを特徴とする請求項２記載のオゾン発生器。
【請求項４】
前記蒸気混合器の外周にヒーティングケーブルを設け、保温材で被覆されていることを特徴とする請求項２又は請求項３記載のオゾン発生器。
【請求項５】
前記蒸気混合器の出側に、ヒーティングパイプが取付けられており、前記蒸気混合器と前記ヒーティングパイプの外周に前記ヒーティングケーブルが敷設され、前記蒸気混合器と前記ヒーティングパイプが前記保温材で被覆されていることを特徴とする請求項２又は請求項３又は請求項４記載のオゾン発生器。
【請求項６】
前記超音波加湿器に、エッセンシャルオイルがエマルジョン状態で添加されていることを特徴とする請求項２又は請求項３又は請求項４又は請求項５記載のオゾン発生器。
【発明の詳細な説明】
【技術分野】
【０００１】
本発明は、消臭や殺菌に用いるオゾン発生器に関する。
【背景技術】
【０００２】
室内空気をオゾン発生器で消臭・殺菌するニーズが高まっている。特に犬や猫を飼育する家庭においては、排泄物の消臭や雑菌の増殖防止に必要とされている一方で、オゾン発生器を室内で使用する際は、人間やペットの健康を損なわないように、安全衛生上の基準を満たさなければならない。又、オゾンは乾燥状態での殺菌効果は小さいが、水分と混ざることにより殺菌効果が格段に向上するので、感染症防止への適用拡大ニーズが高まっている。
【０００３】
ペット用トイレを設置した場所では、排泄物が放つ異臭を抑制するため、消臭剤やオゾン発生器を設置が使用されている。消臭剤は一時的には消臭できるが継続性がない。又、オゾン発生器は、濃度管理が難しく、０．１ｐｐｍを超えると人間やペットの気管を痛める恐れがあり、健康問題のため広く普及するに至っていない。
【０００４】
実登３０４１７９８号公報において、敷砂や紙シートを敷くトレイにドームをかぶせ、オゾン発生器と外気導入ファンからなるオゾン発生室を設けたペット用トイレ脱臭器が提案されている。この方法においては、一時的にあるいは局部的にオゾン濃度が高くなり、ペットや人間の安全基準をオーバーする場合があった。
【０００５】
特開平１０−５７４６０号公報において、殺菌室に接続した循環回路に、オゾン発生器と超音波式超音波式加湿器を接続し、オゾンと蒸気を同時に供給する方法が提案されている。この方法においては、オゾンと蒸気の混合が十分でなく、殺菌効果が低下していた。
【０００６】
特開２００５−３３７５８９号公報において、保湿殺菌霧化装置が提案されている。この方法においては、広い除湿器空間にオゾンが放出されるので、オゾンと霧の混合が不十分であり、殺菌効果が低下していた。
【先行技術文献】
【特許文献】
【０００７】
【特許文献１】実登３０４１７９８号公報
【特許文献２】特開平１０−５７４６０号公報
【特許文献３】特開２００５−３３７５８９号公報
【発明の概要】
【発明が解決しようとする課題】
【０００８】
本発明は、（１）オゾン発生器の出口で、オゾン濃度を安全基準値以下に低減し、衛生面から安全に使用できるようにする。（２）オゾンと超音波加湿器で生成する蒸気を効率よく混合し、加湿と殺菌の相乗効果を生み出す。（３）超音波加湿器の水にエッセンシャルオイルのエマルジョンを使用し室内に自然の香りを生成する。
【課題を解決するための手段】
【０００９】
第１の解決手段は特許請求項１に示すように、電極を設けた絶縁体と、導電体を所定間隔の放電ギャップを介して互いに対向配設し、前記電極と前記導電体に交流電圧を印加し、前記放電ギャップ内に流通させた原料ガス中にオゾンを発生させる無声放電式のオゾン発生器において、該オゾン発生器の出口に、エジェクターが連結されていることを特徴とするオゾン発生器である。
【００１０】
第２の解決手段は特許請求項２に示すように、前記エジェクターの出側に、蒸気混合器が付加されており、該蒸気混合器は、下流に向かって末広がりの混合流路を有しており、該混合流路の途中に、蒸気吸引流路が設けられており、超音波加湿器と前記蒸気吸引流路を近接して配置し、前記蒸気吸引流路で前記超音波加湿器の蒸気と空気を同時に吸引し、前記混合流路内でオゾンと蒸気と空気が混合されて放出されることを特徴とするオゾン発生器である。  
【００１１】
第３の解決手段は特許請求項３に示すように、前記蒸気吸引流路と前記超音波加湿器がパイプで連結してあることを特徴とするオゾン発生器である。
【００１２】
第４の解決手段は特許請求項４に示すように、前記蒸気混合器の外周にヒーティングケーブルが螺設され、保温材で被覆されていることを特徴とする請求項２記載のオゾン発生器である。
【００１３】
第５の解決手段は特許請求項５に示すように、前記蒸気混合器の出側に、ヒーティングパイプが取付けられており、前記蒸気混合器と前記ヒーティングパイプの外周に前記ヒーティングケーブルが螺設され、前記蒸気混合器と前記ヒーティングパイプが前記保温材で被覆されていることを特徴とするオゾン発生器である。
【００１４】
第６の解決手段は特許請求項６に示すように、前記超音波加湿器に、エッセンシャルオイルがエマルジョン状態で添加されていることを特徴とするオゾン発生器である。
【発明の効果】
【００１５】
第１の解決手段による効果は、（１）オゾン発生器の出口にエジェクターを設置しているので、空気を吸入することにより、オゾンと空気が完全に混合され、オゾン発生器出口でのオゾン濃度を瞬間的に低下させることができる。（２）室内のオゾン濃度が基準値を超えることがなく、安心してペットや人間の周辺に設置することができる。
【００１６】
第２の解決手段による効果は、（１）蒸気混合器内の蒸気吸引流路から、蒸気と空気を同時に吸引できるので、オゾンと加湿器蒸気と空気を完全に混合し、オゾン濃度を瞬時に低下できる。（２）殺菌された加湿器蒸気を室内に放出できる。（３）オゾンに蒸気を付加することにより、オゾンの殺菌効果を向上できる。（４）病院内感染防止に効果がある。
【００１７】
第３の解決手段による効果は、蒸気吸引流路と超音波加湿器を連結しているので、蒸気を大量に吸引して、オゾンと混合できる。
【００１８】
第４の解決手段による効果は、オゾンと蒸気の混合気体を、蒸気混合器に巻き付けたヒーティングケーブルで加熱することにより、パイプ内の飽和蒸気圧を大きくできるので、水蒸気の蒸発が促進され、オゾンと蒸気の混合気体をより遠方に放出できる。
【００１９】
第５の解決手段による効果は、蒸気混合器によるオゾンと蒸気の混合気体の昇温が不足していた際に、ヒーティングパイプの加熱で補うことができる。又、蒸気混合器で乱れたオゾンと蒸気の混合気体の流れを整流化して、遠方に放出できる。
【００２０】
第６の解決手段による効果は、オゾン発生器の運転停止後に、エッセンシャルオイルの香りを室内に残存させることにより、快適な生活環境を具現化できる。
【図面の簡単な説明】
【００２１】
【図１】はエジェクターを設けたオゾン発生器の断面図。
【図２】は複数のエジェクターを設けたオゾン発生器の断面図。
【図３】はオゾン発生器のＡ−Ａ断面図。
【図４】は蒸気混合器を取付けて超音波加湿器に近接したオゾン発生器の断面図。
【図５】は蒸気混合器と超音波加湿器を連結したオゾン発生器の断面図。
【図６】は蒸気混合器にヒーティングケーブルを螺設したオゾン発生器の断面図
【図７】は蒸気混合器とヒーティングパイプを取付けたオゾン発生器の断面図
【発明を実施するための形態】
【００２２】
本発明の実施形態を請求項１〜６及び図１〜７に基づいて説明する。
【００２３】
第１の解決手段は特許請求項１に示すように、電極１３を設けた絶縁体１２と、導電体１１を所定間隔の放電ギャップを介して互いに対向配設し、前記電極１３と前記導電体１１に交流電源１４により高圧電圧を印加し、前記放電ギャップ内に流通させた原料ガス中にオゾンを発生させる無声放電式のオゾン発生器１０において、該オゾン発生器１０の出口に、エジェクター２０が連結されていることを特徴とするオゾン発生器１０である。
【００２４】
図１は、エジェクターを取付けたオゾン発生器１０の横断面図である。オゾン発生器１０は空気供給器３０とパイプ４０で連結されている。空気は、流路１１ａ、１１ｂ、１１ｃ、１１ｄ、１１ｅ、パイプ４１を通過し、エジェクター２０の入り側流路２０ａ、出側２０ｃを通過して、外気に放出される。エジェクター４０には、空気吸引流路２０ｂが設けられている。
【００２５】
エジェクター２０は、オゾン発生器１０の出口の流路１１ｅから排出されるオゾンの流れに、空気吸引流路２０ｂから空気を導入してオゾンと空気の混合流を形成し、オゾン濃度を希釈する機能を有する。図１のエジェクター２０は、空気吸引流路２０ｂから、オゾン流に向けて空気を吸引させる方式であるが、空気吸引流路２０ｂからオゾン流に向けて、空気供給源３０などから空気を吹き込んで混合することもできる。所用のオゾン濃度を得るために、エジェクター２０を複数設けてもよい。図２では、エジェクター２０を２台取付けた例を示している。図３はオゾン発生器のＡ−Ａ断面図である。
【００２６】
オゾン発生器１０は、高比誘電率を有する絶縁体１２と導電体１１を、放電ギャップＧを介して対向させ、交流電圧を印加してし、酸素や空気などの原料ガス中にオゾンを発生させる。絶縁体１２としては、例えばガラス、セラミックス、石英、ホーローなどがある。導電体としては、ステンレス、ニッケル、タングステン、アルミニウム、金、銅などの金属材料がある。絶縁体１２には、導電性金属材料からなる電極１３を形成する。電極１３は、導電性金属材料を蒸着、溶射、メッキなどの周知の方法で形成することができる。又、円筒形の金属材料を勘合などの周知の方法で取付けることができる。
【００２７】
空気源３０は空気ボンベやコンプレッサーなどを使用できる。空気の圧力は０．０１ＭＰａ〜０．０５ＭＰａがよい。０．０１ＭＰａより低圧であると、空気吸引力が弱く、空気中のオゾン濃度を短時間で希釈できない。０．０５ＭＰａより大きいとオゾン流量が増大し、オゾン濃度が高くなる。オゾン濃度を許容値に以下に保持するためのオゾン流量は、２〜６リットル／ｍｉｎで十分である。
【００２８】
エジェクター２０やエジェクター２０を連結しているパイプ４０〜４３の材質は、ステンレス、炭素鋼、アルミなどの金属や樹脂を使用できる。樹脂としては、塩化ビニルや、ポリエチレン、ポリエステル、ポリウレタン、ナイロン、ポリオレフィン、プロピレン、シリコン、スチレン系エラストマーフィルムなどが使用できる。
【００２９】
エジェクター２０材料としてアルミを使用する場合は、超ジュラルミン＃２０１４やジュラルミン＃２０１７が使用できる。アルミはアルマイト処理及び銀の析出処理を行うことにより、エジェクター２０自体に抗菌機能を持たせることができるので、院内感染防止に効果を発揮できる。例えば、アルミを硫酸などの電解液中で電解すると表面に多孔質の厚い酸化膜（アルマイト皮膜）が生成する。更に、硝酸銀や硫酸銀などの銀を含有する化合物を硫酸に溶解した電解液中で、アルマイト皮膜を生成したアルミを電極として交流電圧を印加すると、抗菌性を有する銀を多孔質アルマイト皮膜の細孔中に析出させ埋め込むことができる。
【００３０】
オゾン発生器１０の出側流路１１ｄの内径は、Φ２〜Φ５ｍｍである。望ましくはΦ３ｍｍである。エジェクター２０の入り側流路２０ａの内径は、Φ２〜Φ５ｍｍである。望ましくはΦ３ｍｍである。エジェクター２０の空気吸引流路２０ｂの内径は、Φ３〜Φ６ｍｍである。望ましくはΦ４ｍｍである。エジェクター２０の出側流路２０ｃの内径は、Φ４〜Φ７ｍｍである。望ましくはΦ５ｍｍである。
【００３１】
日本産業衛生学会の定めた労働環境におけるオゾンの許容濃度は、０．１ｐｐｍ（０．２ｍｇ／ｍ３）以下である。（労働者が１日８時間、週４０時間程度、肉体的に激しくない労働強度で有害物質に暴露される場合に、当該有害物質の平均暴露濃度がこの数値以下であれば、ほとんど全ての労働者に健康上の悪い影響がみられないと判断される濃度）。又、アメリカ合衆国食料医薬品局（ＦＤＡ）の最大許容濃度は０．０５ｐｐｍ（２４ｈ）以下である。日本空気清浄協会の設計基準では、最高０．１ｐｐｍ、平均０．０５ｐｐｍと定めている。独立行政法人国民生活センターのテストでは、３５ｍ３の部屋で、オゾン発生器出口２．２ｐｐｍでオゾン発生器を運転すると、３０分間で０．１ｐｐｍに到達し、運転停止後３０分経過すると、０．０８ｐｐｍ程度に低減する。オゾンは少量の発生量でも室内に充満しやすく、オゾンの供給を停止した後でも減衰しにくい性質をもっている。
【００３２】
通常、人間がオゾン臭を感じるオゾン濃度は、０．００１〜０．００２ｐｐｍである。１ｇ／ｈｒのオゾン発生器を使用すると、６畳の部屋の場合、１時間後のオゾン濃度は、０．０５ｐｐｍになる。６畳の部屋の体積＝９．７２ｍ２（面積）×２ｍ（高さ）＝１９．４４ｍ３と仮定した。１時間後でも、オゾン濃度が安全基準をオーバーすることはないが、オゾン発生器１０の出口付近の濃度は高くなる。そのため、オゾン発生器１０の出口にエジェクター２０を設けて、瞬間的にオゾン濃度を１／１０以下に希釈して、絶対にペットや人間が０．０５ｐｐｍ以上のオゾンを吸引することがないようにしなければならない。本発明のエジェクター２０は、１個でも、オゾン発生器１０出口周辺のオゾン濃度を瞬間的に１／１０以下に低減できるが、さらに安全性を高めるために、２個以上のエジェクター２０を設けてもよい。
【００３３】
第２の解決手段は特許請求項２に示すように、前記エジェクター２０の出側に、蒸気混合器６０が付加されており、該蒸気混合器６０は、下流に向かって末広がりの混合流路６０ｂを有しており、該混合流路６０ｂの途中に、蒸気吸引流路６０ｃが設けられており、超音波加湿器５０の蒸気噴出口５０ａと前記蒸気吸引流路６０ｃを近接して配置し、前記蒸気吸引流路６０ｃで前記超音波加湿器５０の蒸気と空気を同時に吸引し、前記混合流路６０ｂ内でオゾンと蒸気と空気が混合されて放出されることを特徴とするオゾン発生器１０である。
【００３４】
本発明は、蒸気混合器６０中に超音波加湿器５０の蒸気を吸引し、混合流路６０ｂ内で、オゾンと蒸気を十分に混合してから噴出せしめることにより、蒸気中の殺菌を行うとともに、オゾンに適度な湿り気を付加して、オゾンの殺菌効果を向上させるものである。
【００３５】
図４は、オゾン発生器１０に設けた蒸気混合器６０を、超音波加湿器５０の蒸気噴出口５０ａに近接した場合の断面図である。オゾン発生器１０に２個のエジェクター２０と蒸気混合器６０を設け、超音波加湿器５０の蒸気噴出口５０ａに、蒸気混合器６０の蒸気吸引流路６０ｃを近接して配置している。
【００３６】
蒸気吸引流路６０ｃと蒸気噴出口５０ａの近接距離Ｓは５〜２０ｍｍがよい。５ｍｍより小さいと周辺空気の吸引量が不足して、蒸気混合流路６０ｂ内の飽和蒸気圧が低下して結露する。２０ｍｍより大きいと蒸気の吸引量が不足し、オゾンの殺菌効果が低下する。望ましくは１０〜１５ｍｍである。
【００３７】
オゾンは塩素の数倍の殺菌力があるが、安全衛生法で規定された濃度範囲（０．５ｐｐｍ以下）では殺菌効果が小さく、相対湿度５０%以下では顕著に減少する。又、オゾンは不安定な気体で常に他の物質を酸化して酸素に変化するので残留しにくい。一方オゾン水は殺菌力が強いので、超音波加湿器５０で生成した蒸気と混合することにより殺菌力を向上させることができる。しかしオゾンは水に溶けにくく、数％程度のオゾン水を作るにも装置が大規模となる。これを解決する手段として、超音波加湿器５０で生成した蒸気とオゾンを混合させて、室内に放出する方法が、多数報告されているが、オゾンと蒸気を瞬時に且つ、完全に混合するのは困難であった。又、超音波加湿器５０はレジオネラ菌などの雑菌を増殖させ空気中に雑菌を放出する問題があった。
【００３８】
院内感染の原因は、空中に浮遊している菌もしくは人体表面に付着した菌のいずれかであり、空中浮遊菌や人体付着菌を殺菌してやれば、院内感染を防ぐことができる。室内の菌を完全殺菌するには、室内を高濃度のオゾンに長時間暴露すればよいが人間に対する影響が問題である。しかしながら、湿度によってオゾンの殺菌効果は大きく異なってくるので、オゾンを水蒸気と混合して供給することにより、殺菌効果を大幅に向上させることができる。
【００３９】
例えば、細菌の周囲に水があれば、オゾンが分解して発生した酸素原子と反応してヒドロキシルラジカル（ＯＨ）が細菌の細胞壁の周辺で生成される。このＯＨの酸化力は酸素原子よりも強く、その反応速度はオゾンよりも数桁大きいので、細菌細胞膜を酸化して破壊し、さらに奥にある柔らかい細胞膜を破壊する。細菌の細胞膜は酸素原子では酸化されないが、ＯＨにより酸化浸食されるのである。オゾンを超音波加湿器５０蒸気と混合して供給することにより、院内感染の低減に貢献できる。
【００４０】
第３の解決手段は特許請求項３に示すように、前記蒸気吸引流路６０ｃと前記超音波加湿器５０の蒸気噴出口５０ａがパイプ４３で連結してあることを特徴とするオゾン発生器１０である。
【００４１】
図５は、エジェクター２０の外側に蒸気混合器６０を取付けたオゾン発生器１０の断面図である。蒸気混合器６０は、エジェクター２０とパイプ４３にて連結されている。エジェクター２０から蒸気混合器６０に流入してくるオゾン量が多い場合は、混合流路６０ｂの飽和蒸気圧が高く結露の問題が無いので、空気を吸引する必要が無く、蒸気だけを吸引することができる。
【００４２】
エジェクター２０と超音波加湿器５０の蒸気噴出口５０ａはパイプ４３で連結されているので、超音波加湿器５０で生成される蒸気だけが蒸気吸引流路６０ｃから混合流路６０ｂに吸引される。エジェクター２０から供給されたオゾンは、流路６０ａから混合流路６０ｂに吹き込まれ、一気に拡散されるので、混合流路６０ｂは負圧となり、超音波加湿器５０からの蒸気が蒸気吸引流路６０ｃから吸引される。混合流路６０ｂ内で、オゾンと蒸気は激しく混合され、蒸気内の雑菌がオゾンで殺菌されるとともに、オゾンは湿り気を付加され殺菌性能が向上する。
【００４３】
第４の解決手段は特許請求項４に示すように、前記蒸気混合器６０の外周にヒーティングケーブル７０が螺設され、保温材７１で被覆されていることを特徴とするオゾン発生器１０である。
【００４４】
超音波加湿器５０で生成される蒸気は水滴であり重たいので、遠距離まで到達しにくい。又、外気温度が低いと超音波加湿器５０周辺に結露する割合が増大する。そのため蒸気混合器６０にヒーティングケーブル０を巻き付けて、加熱するとともに保温材７１で保温し、オゾンと蒸気の混合気体を加熱する。蒸気の飽和蒸気圧があがるので、蒸気が結露しなくなる。
【００４５】
ヒーティングケーブル７１は、加熱温度は、３０〜１００℃がよい。３０℃よりも低いと、超音波加湿器５０から放出された水蒸気がすぐに冷却されるので結露しやすくなる。１００℃より高いと、加湿器５０周辺が乾燥し、加湿器５０のメリットが損なわれる。又、ヒーティングケーブル７０の被覆材の耐熱限界を超える。ヒーティングケーブル７０の上限と下限の温度を設定して、その範囲内で制御するのがよい。
【００４６】
ヒーティングケーブル７０は、例えば、ガラスクロスで補強したシリコンゴムで発熱体を絶縁保護したニッケルクロム系の金属発熱体などが使用できる。保温材７１はグラスウールなどが使用できる。
【００４７】
第５の解決手段は特許請求項５に示すように、前記蒸気混合器６０の出側に、ヒーティングパイプ８０が取付けられており、前記蒸気混合器６０と前記ヒーティングパイプ８０の外周に前記ヒーティングケーブル７０が螺設され、前記蒸気混合器６０と前記ヒーティングパイプ８０が前記保温材１で被覆されていることを特徴とするオゾン発生器１０である。
【００４８】
蒸気やオゾンの混合気体を十分に加熱する場合は、蒸気混合器６０の加熱だけでは不十分な場合がある。それを補うため、蒸気混合器６０にヒーティングパイプ８０を取付け、ヒーティングパイプ８０にヒーティングケーブル７０を巻き付けて、さらにその上に保温材７１を巻き付けて加熱保温する。ヒーティングパイプ８０は、蒸気混合器６０から噴出された混合気体を整流化して遠くまで到達させる機能も有する。ヒーティングパイプにより、蒸気の温度を安定的に高温に維持できるので結露しにくい蒸気雰囲気を形成できる。
【００４９】
第６の解決手段は特許請求項６に示すように、前記超音波加湿器５０に、エッセンシャルオイルがエマルジョン状態で添加されていることを特徴とするオゾン発生器１０である。
【００５０】
エッセンシャルオイル（精油）とは、自然植物の花や葉、木部、果皮、樹皮、根、種子などの部分に存在する天然の液体のことで、その植物の香り成分が凝縮されて含まれている。エッセンシャルオイルは天然純度１００％のものであり、混ぜ物が添加されたものや人工的に香り付されたオイルとは異なるものである。エッセンシャルオイルには、ラベンダー、クラリセージ、ベルガモット、ローズマリー、ヴェチパー、イランイラン、ローズオットー、桧などがある。例えば、桧の香りは森林浴の効果があり、桧のエッセンシャルオイルは、皮膚の炎症を抑え、傷を治し、老化を防止する作用などに優れている。
【００５１】
例えば、桧オイルと水を混ぜて水中油滴型のエマルジョンを生成する。水中油滴型はＯ／Ｗと略記される。このエマルジョンを超音波加湿器５０の水として使用する。桧のエッセンシャルオイルを超音波加湿器５０で蒸気とともに蒸発させることにより、室内に桧の香りが漂い、森林浴の効果を得ることができる。桧オイルは、水１リットルに対して、０．５〜１ｃｃ程度添加すれば十分である。
【００５２】
オゾン発生器１０は、室内の許容濃度を安全基準値以下にするため、間欠運転する必要がある。オゾン発生器１０を停止しているときに、室内にエッセンシャルオイルの香りが残留することにより快適な環境を具現化できる。
【符号の説明】
【００５３】
１０：オゾン発生器
１１：導電体
１１ａ：流路
１１ｂ：流路
１１ｃ：流路
１１ｄ：流路
１１ｅ：流路
１２：絶縁体
１３：電極
１４：交流電源
２０：エジェクター
２０ａ：入り側流路
２０ｂ：空気吸引流路
２０ｃ：出側流路
３０：空気供給器
４０：パイプ
４１：パイプ
４２：パイプ
４３：パイプ
５０：超音波加湿器
５０ａ：蒸気噴出口
６０：蒸気混合器
６０ａ：流路
６０ｂ：混合流路
６０ｃ：蒸気吸引流路
７０：ヒーティングケーブル
７１： 保温材
８０：ヒーティングパイプ 
Ｇ：ギャップ（電極間距離）
Ｓ：近接距離
【図１】
2020066536.tif 000003
【図２】
2020066536.tif 000004
【図３】
2020066536.tif 000005
【図４】
2020066536.tif 000006
【図５】
2020066536.tif 000007
【図６】
2020066536.tif 000008
【図７】
2020066536.tif 000009